(57)【要約】【課題】巻回後のグリップテープの表面に、しっかりと把持しうる、凹凸形状を形成することができる打球具用グリップ部材とその巻回方法を提供する。【解決手段】凹凸形状が形成され打球具のグリップ部に固着される第１の接着面とグリップテープに固着される第２の接着面とを有する緩衝材と前記第２の接着面を介して接着されたグリップテープとからなるスポーツ用打球具に巻回するグリップ部材において、前記緩衝材はゴム弾性を有する樹脂からなり、前記グリップ部材を前記第１の接着面を介して前記スポーツ用打球具に巻回して前記グリップテープの表面に凹凸形状が形成されうるようにした打球具用グリップ部材及びその巻回方法を構成するものである。【選択図】図１
2009268593.tif 000002
【特許請求の範囲】
【請求項１】
凹凸形状が形成され打球具のグリップ部に固着される第１の接着面とグリップテープに固着される第２の接着面とを有する緩衝材と前記第２の接着面を介して接着されたグリップテープとからなるスポーツ用打球具に巻回するグリップ部材において、前記緩衝材はゴム弾性を有する樹脂からなり、前記グリップ部材を前記第１の接着面を介して前記スポーツ用打球具に巻回して前記グリップテープの表面に凹凸形状が形成されうるようにしたことを特徴とする打球具用グリップ部材。
【請求項２】
前記緩衝材の断面は、長方形、梯形、半円形又は弓形、上下面が傾斜した梯形、上面のみ傾斜した梯形、上面のみ傾斜した中空梯形、芯のある梯形である請求項１記載の打球具用グリップ部材。
【請求項３】
前記ゴム弾性を有する樹脂は、感圧接着性能を有する請求項１又は請求項２に記載の打球具用グリップ部材。
【請求項４】
凹凸形状が形成され打球具のグリップ部に固着される第１の接着面とグリップテープに固着される第２の接着面とを有しゴム弾性を有する緩衝材を形成する工程と、第２の接着面にグリップテープを固着する工程と、前記緩衝材の第１の接着面に打球具のグリップ部を接着する工程とからなることを特徴とするスポーツ用打球具の打球具用グリップ部材巻回方法。
【請求項５】
前記緩衝材の断面は、長方形、梯形、半円形又は弓形、上下面が傾斜した梯形、上面のみ傾斜した梯形、上面のみ傾斜した中空梯形、芯のある梯形である請求項６記載のスポーツ用打球具の打球具用グリップ部材巻回方法。
【請求項６】
前記ゴム弾性を有する樹脂は、感圧接着性能を有する請求項４又は請求項５に記載のスポーツ用打球具の打球具用グリップ部材巻回方法。
【発明の詳細な説明】
【技術分野】
【０００１】
本発明は、打球具用グリップ部材とその巻回方法に関するものであり、さらに詳しくは、緩衝材を有する打球具用グリップ部材とその巻回方法に係るものである。
【背景技術】
【０００２】
野球用のバットや、ゴルフ用のクラブや、テニス用のラケットや、卓球用のハンドル等の打球具のグリップ部分に、グリップテープを巻回する場合がある。グリップテープに求められる性能としては、滑り止めや耐水性もあるが、緩衝効果の付与も大切な効果の一つとなっている。
【０００３】
しかし、これらのテープは、長期間使用すると、巻き代えを必要とし、これが最近では、アフタサービスの一分野として注目されている。
【０００４】
グリップテープとしては、従来から各種の先行技術が提案されている（例えば、特許文献１）。特許文献１は、滑らかな面を有する内層の第１帯状体と、粗い凹凸表面を有する外層の第２帯状体とからなる滑り止めのテープである。
【特許文献１】特開２００２−２８２６４号公報
【０００５】
汗を吸収したり、耐水性を付与したグリップテープも、各種開示されている（例えば、特許文献２、特許文献３、特許文献４）。特許文献２は、表面に複数の螺旋凹線が形成され、中心部に結合洞が形成された汗を吸収する円錐状中空体で、ＥＶＡ発泡材やコルクが使用されている。特許文献３は、シ−トの一方の面に、多孔性のポリウレタン被覆を施したテープである。特許文献４は、所定のポリウレタン発泡エラストマ−を使用したものである。
【特許文献２】実登第３０７６０１５号公報
【特許文献３】実登第３０６１７６９号公報
【特許文献４】特開平１１−５７０９０号公報
【０００６】
そして、緩衝効果を有するテープも、提案されている（例えば、特許文献５、特許文献６）。特許文献５は、クロロプレン発泡体を使用している。特許文献６は、外層はゴムの止滑層、内層は弾性層を使用している。
【特許文献５】特開２００３−２９０４０３公報
【特許文献６】実登第３０９５６２６号公報
【０００７】
一方、ゲル化樹脂も、各方面に使用されるようになった（例えば、特許文献７、特許文献８）。特許文献７は、基本特許であって、カチオン電着塗装に使用している。特許文献８は、エチレン−ビニルアルコール共重合樹脂で、イオン交換性フィラーの脱落防止に使用している。しかし、ゲル化樹脂を緩衝材として使用する先行技術はみあたらない。
【特許文献７】特開平６−１９２６１８号公報
【特許文献８】特開２００７−１１１６９２号公報
【０００８】
本発明は、打球具用グリップテープとその製造方法に関するものである。そして、テープの表皮に緩衝材を内層し、巻回するとグリップ表面に凹凸の形状が形成されるという発想は、均等の技術と考えられる（例えば、特許文献９）。
【特許文献９】特開２００２−１５３１７１号公報
【０００９】
特許文献９は、釣竿のグリップであるが、裏面に弾性層を積層したテープで巻回すると、部分的に盛り上がって、凹凸が形成されると開示している。しかし、その弾性層は、テープの中央にあって、平面状のものしか示されていない。従って、凹凸形状又はこれを傾斜させた形状にしたり、グリップ直径を可変することはできない。
【発明の開示】
【発明が解決しようとする課題】
【００１０】
上記の事情に鑑み、本発明は、巻回後のグリップテープの表面に、しっかりと把持しうる、凹凸形状を形成することができる打球具用グリップ部材とその巻回方法の提供を課題とする。
【課題を解決するための手段】
【００１１】
本発明は、上記目的を達成するために、凹凸形状が形成され打球具のグリップ部に固着される第１の接着面とグリップテープに固着される第２の接着面とを有する緩衝材と前記第２の接着面を介して接着されたグリップテープとからなるスポーツ用打球具に巻回するグリップ部材において、前記緩衝材はゴム弾性を有する樹脂からなり、前記グリップ部材を前記第１の接着面を介して前記スポーツ用打球具に巻回して前記グリップテープの表面に凹凸形状が形成されうるようにしたスポーツ用打球具用グリップ部材を構成するものである。
【００１２】
また本発明は、上記目的を達成するために、凹凸形状が形成され打球具のグリップ部に固着される第１の接着面とグリップテープに固着される第２の接着面とを有しゴム弾性を有する緩衝材を形成する工程と、第２の接着面にグリップテープを固着する工程と、前記緩衝材の第１の接着面に打球具のグリップ部を接着する工程とからなるスポーツ用打球具の打球具用グリップ部材巻回方法を構成するものである。
【発明の効果】
【００１３】
本発明の打球具用グリップ部材は、緩衝材の断面形状を、特に長方形、梯形、半円形又は弓形、上下面が傾斜した梯形、上面のみ傾斜した梯形形状にしたので、巻回後のグリップテープの表面に、しっかりと把持しうる、凹凸形状を形成することができる。
【００１４】
本発明の打球具用グリップテープで巻回すると、滑り止め効果の高いグリップを有する打球具とすることができる。
【００１５】
本発明の打球具用グリップ部材は、特に、上下面が傾斜した梯形、上面のみ傾斜した梯形形状にすると、巻くピッチ寸法を調整することにより、任意のグリップ直径にすることができる。
【００１６】
緩衝材として、ゴム弾性のある接着性緩衝材からなる組成物等であると、打球時の打球具のグリップ部の振動発生時に対する緩衝効果が高まるとともに、グリップを掌で握ったとき緩衝材が個人差のある掌に馴染んで、グリップを握った感触がよい。また、グリップから掌を離すとグリップの変形が回復し、塑性変形をすることがなく、グリップの握り手が変わっても緩衝材は同じ性能を発揮することができる。
【００１７】
ゴム弾性と感圧接着性を有する緩衝材としてホットメルト感圧接着剤は、ブロックコポリマーと粘着付与樹脂と可塑剤当を配合したものからなる組成物が好適である。
【００１８】
感圧接着剤として、天然ゴムまたは合成ゴムに粘着付与樹脂、軟化剤、架橋剤等を配合して、固体状にしたものを用いてもよい。
【００１９】
その他、天然ゴムまたは合成ゴム等のゴム系樹脂にアクリル酸エステル等のビニル系単量体をグラフト重合させた感圧性接着剤やポリブテンとアクリル酸エステル、ビニルエステル等を共重合させた感圧性接着剤やアクリル系樹脂、ゴム系樹脂、架橋精製化合物、顔料を含有し、硬化剤を配合した感圧性接着剤を用いてもよい。そして接着性緩衝材を厚さ１ｍｍ〜５ｍｍ  に成形し保形性が備えられる。
【発明を実施するための最良の形態】
【００２０】
以下、本発明の打球具用グリップ部材について、実施例をあげて詳しく説明する。
【００２１】
図１は、本発明の打球具用グリップ部材の一実施例を示す断面図である。図２は、傾斜状のテーパー形状からなる緩衝材の各種形状の断面を示し、（イ）は中央に凸部有する長方形の断面図、（ロ）は中央に凸部と芯材を有する長方形の断面図、（ハ）は上面傾斜で中空の断面図、（ニ）は下上面傾斜の断面図、（ホ）は上面のみ傾斜の断面図、（ヘ）は梯形傾斜の断面図、（ト）は長方形の断面図、（チ）は逆梯形の断面図、（リ）は半円形の断面図である。図３は、巻回するグリップエンドのテープ表面が、凹凸形状又はこれを傾斜させたりして形成し、グリップ直径を可変させうることを示す平面図である。
【００２２】
図１に示すように、野球用バットを始めとする打球具の把手に巻回するグリップ部材１は、緩衝材２の一面にバットに固着される第１の接着面３が設けられ、緩衝材２の他方の面にグリップテープ５に固着される第２の接着面４が設けられている。
【００２３】
この緩衝材２の断面は、図２の（イ）、（ロ）、（ハ）に示すように、中央に凸部有する長方形の断面図、中央に凸部と芯材を有する長方形の断面図、上面傾斜で中空の断面図のものが用いられる。図２の（ニ）、（ホ）、（ヘ）に示すように、上下面傾斜や、上面のみ傾斜や、梯形傾斜のような傾斜状のテーパー形状からなっていてもよい。その他、（ト）、（チ）、（リ）に示すように、長方形や逆梯形型や半円又は弓形等、任意の形状の緩衝材のものが用いられる。なお、図２の（ロ）において、芯材としては、合成樹脂、ゴム、フェルト、ひも等保形性のものであれば任意のものでよい。また、芯材を挿入する代わりに中空の孔のままでもよい。図２の（ハ）において、中空部８に合成樹脂、ゴム、フェルト、ひも等の保形性芯材を挿入してもよい。
【００２４】
そのため、これで巻回すると、図３のように、テープの表面に凹凸形状６が形成され、またヒッチＰを調整すると、任意のグリップ直径にすることができる。
【００２５】
なお、グリップテープ５は、本革やポリウレタン合成皮革からなっている。以下、本発明の実施例を説明するが、これに限定されるものではなく、特許請求の範囲に記載された構成に限定されるものである。
【００２６】
グリップ部材１をバットに巻回するには、先ず、厚さ３ｍｍ程度に成形した合成ゴム系感圧接着剤（東亜ペイント社製ＰＳ２２０）２の第２の接着面４上の剥離紙を剥離し、ポリウレタン合成皮革からなるグリップテープ５に緩衝材２の第２の接着面を接合する。次いで、緩衝材２の第１の接着面３上の剥離紙を剥離し、緩衝材２の第１の接着面３をバットに接合して両面接着面を有する緩衝材とグリップテープをバットの回りに巻回し固着する。
【００２７】
本発明のグリップ部材は、グリップ表面の凹凸が大きいため滑り止め効果の高いグリップを有し、打球時のバットの振動発生時に対する緩衝効果が高まるとともに、グリップから掌を離すとグリップの変形が回復し、塑性変形をすることがなく、グリップの握り手が変わっても緩衝材は同じ性能を発揮することができる。
【産業上の利用可能性】
【００２８】
本発明の打球具用グリップ部材は、バット、ラケット等各種の打球具のグリップに巻き代えて長く、広く利用しうるものである。
【図面の簡単な説明】
【００２９】
【図１】本発明の打球具用グリップ部材の一実施例を示す断面図である。
【図２】本発明のテープの傾斜状テーパー形状からなる緩衝材の各種形状の断面を示し、（イ）は中央に凸部有する長方形の断面図、（ロ）は中央に凸部と芯材を有する長方形の断面図、（ハ）は上面傾斜で中空の断面図、（ニ）は下上面傾斜の断面図、（ホ）は上面のみ傾斜の断面図、（ヘ）は梯形傾斜の断面図、（ト）は長方形の断面図、（チ）は逆梯形の断面図、（リ）は半円形の断面図である。
【図３】本発明の巻回するグリップエンドのテープ表面が、凹凸形状を形成し又はこれを傾斜させた形状にして、グリップ直径を可変させうることを示す平面図である。
【符号の説明】
【００３０】
１            グリップ部材
２            緩衝材
３            第１の接着面
４            第２の接着面
５            グリップテープ
６            凹凸形状
７            芯材
８            中空部
【図１】
2009268593.tif 000003
【図２】
2009268593.tif 000004
【図３】
2009268593.tif 000005